(57)【要約】      （修正有）【課題】撮影者のフィーリングやニュアンスに合致する写真を失敗することなく簡単に撮影する。【解決手段】電子カメラは、予め設定された制御調整パラメータに基づいて画像を撮像する撮像部と、前記撮像部が撮像した画像に対して、予め設定された画質調整パラメータで画像処理を施す画像処理部と、マンマシンインターフェースを提供する操作部材を有し、前記操作部材が操作される時の物理的な操作情報を取得する操作部と、前記操作部が取得した前記物理的な操作情報に応じて前記制御調整パラメータおよび前記画質調整パラメータの少なくとも一方を変更する制御部とを備える。【選択図】図１
2014068230.tif 000002
【特許請求の範囲】
【請求項１】
予め設定された制御調整パラメータに基づいて画像を撮像する撮像部と、
前記撮像部が撮像した画像に対して、予め設定された画質調整パラメータで画像処理を施す画像処理部と、
マンマシンインターフェースを提供する操作部材を有し、前記操作部材が操作される時の物理的な操作情報を取得する操作部と、
前記操作部が取得した前記物理的な操作情報に応じて前記制御調整パラメータおよび前記画質調整パラメータの少なくとも一方を変更する制御部と
を備えることを特徴とする電子カメラ。
【請求項２】
請求項１に記載の電子カメラにおいて、
前記物理的な操作情報は、前記操作部材の押圧強度、操作加速度または操作間隔の少なくとも１つの計測値に対応する
ことを特徴とする電子カメラ。
【請求項３】
請求項１または２に記載の電子カメラにおいて、
前記制御調整パラメータは、絞り値、シャッター速度、感度、補助光源の発光の有無および当該補助光源の発光量の少なくとも１つのパラメータであり、
前記画質調整パラメータは、輪郭強調、コントラスト、明るさ、色の濃さ、色合いの少なくとも１つのパラメータである
ことを特徴とする電子カメラ。
【請求項４】
請求項１から３のいずれか一項に記載の電子カメラにおいて、
前記画像処理部は、前記画質調整パラメータに加えて撮影画像にフィルタ効果を与える画像処理を施し、
前記制御部は、前記操作部が取得した前記物理的な操作情報に応じて前記フィルタ効果を調整する
ことを特徴とする電子カメラ。
【請求項５】
請求項１から４のいずれか一項に記載の電子カメラにおいて、
前記操作部が取得した前記物理的な操作情報に応じて予め設定された前記制御調整パラメータおよび前記画質調整パラメータの少なくともどちらか一方のパラメータを調整するか否かを選択するフィーリング機能選択部を更に設ける
ことを特徴とする電子カメラ。
【請求項６】
請求項１から５のいずれか一項に記載の電子カメラにおいて、
前記物理的な操作情報を取得する前記操作部材は、前記撮像部に撮影指示を与えるレリーズボタンである
ことを特徴とする電子カメラ。
【請求項７】
請求項１から６のいずれか一項に記載の電子カメラにおいて、
前記物理的な操作情報を撮影画像に関連付けて記録する記録部を更に設けた
ことを特徴とする電子カメラ。
【請求項８】
請求項７に記載の電子カメラにおいて、
前記制御部は、前記記録部によって記録された前記画像に関連付けて記録された前記物理的な操作情報を抽出し、抽出した前記物理的な操作情報に対応する前記画質調整パラメータにより当該画像に画像処理を施して再生する
ことを特徴とする電子カメラ。
【請求項９】
請求項１から８のいずれか一項に記載の電子カメラにおいて、
撮影シーン別に予め決められた前記制御調整パラメータおよび前記画質調整パラメータで画像を撮影するシーンモードを備え、
前記操作部は、前記シーンモードを選択するシーンモード選択部を有し、
前記制御部は、前記シーンモード選択部により選択されている前記撮影シーンに対応する前記制御調整パラメータおよび前記画質調整パラメータを基準にした予め設定された範囲内で、前記操作部が取得した前記物理的な操作情報に応じて各パラメータの調整を行う
ことを特徴とする電子カメラ。
【発明の詳細な説明】
【技術分野】
【０００１】
本発明は、電子カメラに関する。
【背景技術】
【０００２】
近年の電子カメラは、オートモードに設定しておくだけで、自動的に撮影シーンを判定して、被写体に適した設定で撮影を行うため、同じシーンであれば誰が撮影してもほぼ同様の品質の写真を得ることができる。このため、撮影時に撮影者が感じた微妙なフィーリングやニュアンスによる表現の差が無くなり、撮影結果が画一化されてしまうという問題がある。そこで、撮影時の撮影者の感情を検出するための専用のセンサを設けて撮影画像と共に記憶しておき、再生時に画像処理を行って撮影者の感情を反映させた画像を表示する技術が考えられている（例えば、特許文献１参照）。
【先行技術文献】
【特許文献】
【０００３】
【特許文献１】特開２００５−２５０９７７号公報
【発明の概要】
【発明が解決しようとする課題】
【０００４】
しかしながら、撮影者の感情に応じた表現を行うためには、データベースの作成や複雑で高価な専用のセンサが必要であったり、表現が極端な画像が撮影される心配があったりするなど、様々な問題があった。
【０００５】
上記課題に鑑み、本発明の目的は、撮影時の撮影者のフィーリングやニュアンスに合致する写真を失敗することなく簡単に撮影することができる電子カメラを提供することである。
【発明の開示】
【課題を解決するための手段】
【０００６】
本発明に係る電子カメラは、予め設定された制御調整パラメータに基づいて画像を撮像する撮像部と、前記撮像部が撮像した画像に対して、予め設定された画質調整パラメータで画像処理を施す画像処理部と、マンマシンインターフェースを提供する操作部材を有し、前記操作部材が操作される時の物理的な操作情報を取得する操作部と、前記操作部が取得した前記物理的な操作情報に応じて前記制御調整パラメータおよび前記画質調整パラメータの少なくとも一方を変更する制御部とを備えることを特徴とする。
【０００７】
また、前記操作部が取得した前記物理的な操作情報に応じて予め設定された前記制御調整パラメータおよび前記画質調整パラメータの少なくともどちらか一方のパラメータを調整するか否かを選択するフィーリング機能選択部を更に設けることを特徴とする。
【０００８】
さらに、撮影シーン別に予め決められた前記制御調整パラメータおよび前記画質調整パラメータで画像を撮影するシーンモードを備え、前記操作部は、前記シーンモードを選択するシーンモード選択部を有し、前記制御部は、前記シーンモード選択部により選択されている前記撮影シーンに対応する前記制御調整パラメータおよび前記画質調整パラメータを基準にした予め設定された範囲内で、前記操作部が取得した前記物理的な操作情報に応じて各パラメータの調整を行うことを特徴とする。
【発明の効果】
【０００９】
本発明に係る電子カメラは、撮影時の撮影者のフィーリングやニュアンスに合致する写真を失敗することなく撮影することができる。
【図面の簡単な説明】
【００１０】
【図１】本実施形態に係る電子カメラ１０１の構成例を示す図である。
【図２】強弱に応じた画像表現の一例を示す図である。
【図３】ポートレートモードの画像処理例を示す図である。
【図４】画質調整パラメータおよび制御調整パラメータの調整例を示す図である。
【図５】撮影時の処理の流れを示すフローチャートである。
【図６】パラメータ設定メニューの一例を示す図である。
【図７】パラメータ設定処理の流れを示すフローチャートである。
【発明を実施するための形態】
【００１１】
以下、本発明に係る電子カメラの実施形態について図面を用いて詳しく説明する。
【００１２】
［電子カメラ１０１の構成例］
図１は、本実施形態に係る電子カメラ１０１の構成例を示すブロック図である。図１において、電子カメラ１０１は、光学系１０２と、メカニカルシャッター１０３と、撮像素子１０４と、Ａ／Ｄ変換部１０５と、画像バッファ１０６と、画像処理部１０７と、制御部１０８と、メモリ１０９と、表示部１１０と、操作ＩＦ（インターフェース）１１１と、メモリカードＩＦ（インターフェース）１１２と、補助光源１１３とで構成される。また、操作ＩＦ１１１には、操作ボタン１５１と圧力センサ１５２とが接続され、ユーザーが電子カメラ１０１を操作する際のマンマシンインターフェースを提供する。尚、表示部１１０にタッチパネル１５３を配置して、表示部１１０の画面に表示されるボタンや項目などを選択できるようにしてもよい。
【００１３】
図１において、光学系１０２に入射される被写体光は、メカニカルシャッター１０３を介して撮像素子１０４の受光面に入射される。ここで、光学系１０２は、ズームレンズやフォーカスレンズなどの複数枚のレンズおよびレンズ駆動機構や絞り機構などを有し、制御部１０８によって、ズームレンズ位置、フォーカスレンズ位置、絞り値などが制御される。光学系は、電子カメラに対して一体式であっても交換式であってもよい。
【００１４】
メカニカルシャッター１０３は、例えばフォーカルプレーンシャッターなどが用いられ、フォーカルプレーンシャッターを駆動するシャッター駆動機構を有し、制御部１０８によって、シャッター速度などが制御される。
【００１５】
撮像素子１０４は、例えばＣＭＯＳ型固体撮像素子が用いられ、受光面に二次元状に配置された各画素のフォトダイオードによって受光量に応じたアナログの画像信号に変換する。
【００１６】
Ａ／Ｄ変換部１０５は、撮像素子１０４から読み出されるアナログの画像信号をデジタル値に変換し、撮影毎に１画面分の画像データを画像バッファ１０６に取り込む。
【００１７】
画像バッファ１０６は、例えば揮発性の高速メモリで構成される。画像バッファ１０６は、Ａ／Ｄ変換部１０５が出力する画像データを一時的に記憶するだけでなく、画像処理部１０７が画像処理を行う時のバッファメモリとしても使用される。或いは、撮影画像だけでなく、メモリカードＩＦ１１２に接続されたメモリカード１１２ａに保存されている撮影済の画像を読み出して画像処理を行ったり、表示部１１０に表示する時の表示用メモリとしても使用されたりする。
【００１８】
画像処理部１０７は、画像バッファ１０６に取り込まれた画像データに対して、ホワイトバランス処理，色補間処理，ガンマ補正処理，彩度強調処理，輪郭強調処理などの画像処理を行う。また、画像処理部１０７は、画像処理後の画像データに対してＪＰＥＧ規格などに準拠した画像圧縮方法を用いて圧縮処理を行う。特に、本実施形態に係る電子カメラ１０１では、画像バッファ１０６は、撮影時の撮影者のフィーリング（感情的な操作）やニュアンス（意図的な操作）に合致した表現の画像になるように、撮影画像に対して予め設定された画像処理を施す。尚、撮影者のフィーリングやニュアンスに合致する画像処理の内容については後で詳しく説明する。
【００１９】
制御部１０８は、例えばＣＰＵ（Ｃｅｎｔｒａｌ  Ｐｒｏｃｅｓｓｉｎｇ  Ｕｎｉｔ）で構成され、ＣＰＵ内部やメモリ１０９などに予め記憶されたプログラムに従って電子カメラ１０１全体の動作を制御する。制御部１０８は、例えば操作ボタン１５１の操作情報を入力して、電子カメラ１０１の撮影モードを設定したり、撮影処理などを実行したりする。また、制御部１０８は、スルー画像表示機能として、メカニカルシャッター１０３を開放状態に制御し、電子シャッターにより撮像素子１０４で撮影される画像を表示部１１０に表示する処理なども実行する。
【００２０】
ここで、レリーズボタン１５１ｂは、半押し検出センサ１６１と、全押し検出センサ１６２とを有しており、制御部１０８は、レリーズボタン１５１ｂが半押しされた状態、全押しされた状態、開放状態の３つの状態のいずれかを検出することができる。そして、制御部１０８は、レリーズボタン１５１ｂが全押しされた時に、スルー画像撮影時に計測した露出条件に応じて、光学系１０２のレンズ制御や絞り制御を行ってメカニカルシャッター１０３を開閉し、撮像素子１０４で静止画像を撮影する。この時、制御部１０８は、撮像素子１０４から予め設定された解像度で画像信号を読み出し、Ａ／Ｄ変換部１０５でデジタル値に変換された画像データを画像バッファ１０６に取り込む。さらに、制御部１０８は、画像バッファ１０６に取り込まれた画像データに対して所定の画像処理を施すよう画像処理部１０７に指令し、画像処理後の画像データに所定のファイル名やヘッダ情報を付加してメモリカード１１２ａに保存する。或いは、画像バッファ１０６に取り込まれた撮影画像を表示部１１０に表示する。ここで、本実施形態に係る電子カメラ１０１では、メニュー画面で「フィーリング機能」がＯＮに設定されている場合、制御部１０８は、操作ボタン１５１の圧力センサ１５２により、撮影者がレリーズボタン１５１ｂを押下した時の強さを計測する。そして、制御部１０８は、レリーズボタン１５１ｂを押下した時の強さに応じた画像処理内容を画像処理部１０７に指令し、画像処理部１０７は、画像バッファ１０６に取り込まれた画像に対して、制御部１０８から指令された内容の画像処理を実行する。尚、画像処理部１０７の画像処理内容については後で詳しく説明する。
【００２１】
メモリ１０９は、例えばフラッシュメモリなどの不揮発性半導体メモリで構成される。メモリ１０９には、電子カメラ１０１の撮影モードや露出情報、フォーカス情報などのパラメータが記憶される。制御部１０８は、これらのパラメータを参照して電子カメラ１０１の動作を制御する。特に、本実施形態に係る電子カメラ１０１では、後に説明するように、「フィーリング機能」がＯＮされている時に、制御調整パラメータ、画質調整パラメータ、フィルタ効果などの様々な調整を行うためのパラメータやテーブルが事前にメモリ１０９に記憶されている。尚、これらのパラメータやテーブルは、操作ＩＦ１１１を介して行われるメニュー画面の中で適宜更新することができる。
【００２２】
表示部１１０は、液晶モニタなどで構成され、制御部１０８によって、撮影画像やメニュー画面などが表示される。
【００２３】
操作ＩＦ１１１は、操作ボタン１５１および圧力センサ１５２から得られる情報を制御部１０８に出力する。操作ボタン１５１は、電源ボタン１５１ａ、レリーズボタン１５１ｂ、撮影モード選択ダイヤル１５１ｃ、十字キー１５１ｄ、メニューボタン１５１ｅなどで構成される。圧力センサ１５２は、例えばレリーズボタン１５１ｂを押下する圧力を検出するデバイスが用いられる。
【００２４】
尚、これらの操作ＩＦ１１１の操作情報は制御部１０８に出力され、制御部１０８は操作ＩＦ１１１から入力する操作情報に応じて電子カメラ１０１の動作を制御する。
【００２５】
そして、ユーザーは、操作ボタン１５１を操作して電子カメラ１０１を使用する。例えば撮影モード選択ダイヤル１５１ｃでは、「マニュアルモード」、「オートモード」、「シーンモード」などを選択する。また、メニューボタン１５１ｅを押下した時に表示部１１０に表示されるメニュー画面を十字キー１５１ｄなどで操作し、撮影する画像の画素数や画質など電子カメラ１０１の様々な動作を設定することができる。特に、本実施形態では、メニュー画面において、「フィーリング機能」のＯＮ／ＯＦＦや「フィーリング機能」の設定内容を変更することができる。また、「フィーリング機能」がＯＮに設定されている場合、操作ＩＦ１１１は、撮影者がレリーズボタン１５１ｂを押下する際の圧力を圧力センサ１５２により計測して制御部１０８に出力する。尚、「フィーリング機能」については後で詳しく説明する。
【００２６】
メモリカードＩＦ１１２は、電子カメラ１０１にメモリカード１１２ａを接続するためのインターフェースである。そして、制御部１０８は、メモリカードＩＦ１１２を介して、撮影した画像をメモリカード１１２ａに保存したり、メモリカード１１２ａに保存されている撮影済の画像を読み出して表示部１１０に表示したりする。特に、本実施形態に係る電子カメラ１０１では、「フィーリング機能」がＯＮの場合は、撮影者のフィーリングやニュアンスに応じた画像処理が施された画像を保存する。尚、撮影した画像の画像データに付加された撮影時の撮影者のフィーリング情報（撮影者の感情や感覚を示す物理的な操作情報）をメモリカード１１２ａに保存するようにしてもよい。この時、「フィーリング機能」による画像処理を施す前の画像データに撮影者のフィーリング情報を付加してメモリカード１１２ａに保存してもよいし、画像処理後の画像データに撮影者のフィーリング情報を付加してメモリカード１１２ａに保存してもよい。ここで、フィーリング情報は、例えば圧力センサ１５２から得られるレリーズボタン１５１ｂを押下する時の強さなどである。
【００２７】
補助光源１１３は、露出不足の被写体を撮影する場合などに発光するフラッシュライト等であって、制御部１０８によりＯＮ／ＯＦＦや発光量が制御される。
【００２８】
以上のように、本実施形態に係る電子カメラ１０１は構成され、圧力センサ１５２により、例えばレリーズボタン１５１ｂを押下する時の撮影者の感情を検出して、フィーリングやニュアンスを反映させた画像を撮影することができる。これにより、同じカメラで同じシーンモードが設定されている状態で同じ被写体を撮影した場合でも、画一的な画像になることなく、撮影者によって表現が異なる個性的な画像を得ることができる。
【００２９】
［撮影モードについて］
ここで、本実施形態に係る電子カメラ１０１の「撮影モード」には、「オートモード」と、「シーンモード」と、「Ｐ，Ｓ，Ａ，Ｍモード」とがある。
【００３０】
「オートモード」は、例えば撮影シーンなどを自動的に判定して、絞り値（Ｆ値）、シャッター速度、感度、補助光源１１３のＯＮ／ＯＦＦおよび発光量などの制御調整パラメータや、輪郭強調、コントラスト、明るさ、色の濃さ、色合いなどの画質調整パラメータを自動的に設定する撮影モードである。例えば人物の顔が撮影画角内にある場合は、顔の色合い調整や補助光源１１３の発光などを制御する。尚、制御調整パラメータは、絞り値、シャッター速度などの撮影時の動作を制御するパラメータで、ＩＳＯ感度や補助光源１１３のＯＮ／ＯＦＦおよび発光量などを制御調整パラメータに含めてもよい。また、画質調整パラメータは、輪郭強調、コントラスト、明るさ、色の濃さ、色合いなどの撮影画像の画質を調整するパラメータである。
【００３１】
「シーンモード」は、風景やポートレートなどの撮影シーンを撮影者が選択し、選択された撮影シーンに適した標準的な制御調整パラメータや画質調整パラメータなどを設定する撮影モードである。「シーンモード」の例として、”夜景ポートレートモード”、 ”スポーツモード”、 ”風景モード”などがある。例えば、”夜景ポートレートモード”の場合は、シャッター速度を遅くして夜景をきれいに撮影すると共に、フラッシュを発光して人物の顔を引き立たせるように自動的に設定される。また、”スポーツモード”の場合は、例えば動きの速い被写体をぶれないようにシャッター速度を速くするよう自動的に調整される。”風景モード”など他のシーンモードについても各モードに適した予め決められた制御調整パラメータや画質調整パラメータなどが選択される。
【００３２】
「Ｐ，Ｓ，Ａ，Ｍモード」は露出モードとも呼ばれ、露出を決めるために、絞り値とシャッター速度の内、どのパラメータを撮影者または電子カメラ１０１が制御するのかを選択するモードである。これらのモードでは、補助光源１１３の発光をＯＮ／ＯＦＦするかを必要に応じて撮影者または電子カメラ１０１が決定する。
・Ｐモード（プログラムオート）は、適正露出になるように、絞り値とシャッター速度を電子カメラ１０１側が自動的に決める撮影モードである。尚、露出を一定にしたまま、撮影者が絞り値とシャッター速度の組み合わせを変えることもできるプログラムシフトの機能も有する。
・Ｓモード（シャッター優先オート）は、撮影者が選んだシャッター速度に対して適正露出になるように、絞り値を電子カメラ１０１側が自動的に決める撮影モードである。
・Ａモード（絞り優先オート）は、撮影者が選んだ絞り値に対して適正露出になるように、シャッター速度を電子カメラ１０１側が自動的に決める撮影モードである。
・Ｍモード（マニュアル露出）は、絞り値もシャッター速度も撮影者自身が選ぶ撮影モードであり、Ｐ、Ｓ、Ａの各モードの露出は適正露出になるが、Ｍモードでは、意図的に露出オーバーにしたり、露出アンダーにしたりすることもできる。
【００３３】
本実施形態に係る電子カメラ１０１では、「オートモード」、「シーンモード」、「Ｐ，Ｓ，Ａ，Ｍモード」などの撮影モードに加えて、撮影時の撮影者のフィーリングやニュアンスに合致するように、制御調整パラメータや画質調整パラメータなどを調整する機能を有している。
【００３４】
さらに、本実施形態に係る電子カメラ１０１では、ソフトフィルタ、クロスフィルタ、セピア調などのフィルタ効果を撮影画像に施す「エフェクトモード」をメニュー画面などにより、選択することができる。尚、「エフェクトモード」は、単独で用いてもよいし、「オートモード」、「シーンモード」、「Ｐ，Ｓ，Ａ，Ｍモード」など他の撮影モードと併用してもよい。
【００３５】
［フィーリング機能について］
ここで、「オートモード」や「シーンモード」では、撮影シーンに合致した予め決められたデフォルトの制御調整パラメータや画質調整パラメータなどが自動的に選択されるので、例えば同じカメラで同じ被写体を撮影した場合、誰が撮影しても概ね同じような表現の画一的な画像が撮影され、撮影者によって表現が異なる個性的な画像を撮影することは難しい。
【００３６】
そこで、本実施形態に係る電子カメラ１０１は、撮影者のフィーリングやニュアンスを反映させた微調整を行うことができる「フィーリング機能」を有している。「フィーリング機能」は、メニュー画面などでＯＮ／ＯＦＦできるようになっており、「フィーリング機能」がＯＦＦの場合は従来通りの予め決められた制御調整パラメータや画質調整パラメータで撮影される。「フィーリング機能」がＯＮの場合は、例えば「シーンモード」などが選択されている場合でも、当該「シーンモード」で予め決められた制御調整パラメータや画質調整パラメータを基準にして、その基準から大きく外れないように予め設定された範囲内で、撮影者のフィーリングやニュアンスを反映させた制御調整パラメータや画質調整パラメータの調整を行うことができる。
【００３７】
尚、本実施形態に係る電子カメラ１０１では、「フィーリング機能」は、撮影モードとして「シーンモード」が選択されている場合と、「シーンモード」以外の撮影モード（「Ｐ，Ｓ，Ａ，Ｍモード」など）が選択されている場合とに対応している。
【００３８】
次に、本実施形態に係る電子カメラ１０１における「フィーリング機能」の一例として、撮影者のフィーリングやニュアンスを強弱の２段階で撮影画像に反映させる場合について説明する。尚、撮影者のフィーリングやニュアンスの度合いを強弱の２段階に判別する方法として、例えば図１の操作ボタン１５１のレリーズボタン１５１ｂを押下する強度を圧力センサ１５２で計測する。そして、制御部１０８は、圧力センサ１５２の出力が予め設定した閾値以上の場合は［強］と判定し、圧力センサ１５２の出力が予め設定した閾値未満の場合は［弱］と判定する。このようにして、撮影者のフィーリングやニュアンスを強弱の２段階で判別することができる。尚、本実施形態では、強弱の２段階の例について説明するが、圧力センサ１５２の出力に応じて、３段階以上に分けるようにしてもよい。そして、制御部１０８は、撮影者のフィーリングやニュアンスの判定結果に応じて、制御調整パラメータや画質調整パラメータの調整を行う。
【００３９】
ここで、「シーンモード」や「Ｐ，Ｓ，Ａ，Ｍモード」でデフォルト設定されている制御調整パラメータや画質調整パラメータを、圧力センサ１５２の強弱の判定結果に応じて、どのように調整するのかについて説明する。図２は、いくつかの「シーンモード」の例を挙げて、撮影シーン毎にデフォルト設定されているパラメータをどのように変化させるのかを示した図である。図２において、［強］は圧力センサ１５２の押圧強度が閾値以上の場合を示し、［弱］は圧力センサ１５２の押圧強度が閾値未満の場合を示している。
【００４０】
例えば”ポートレートモード”において、［強］の場合は、「人物をくっきり、力強い画像、背景までくっきり写る」のような表現の画像になるように、”ポートレートモード”のデフォルト設定を基準にして、制御調整パラメータや画質調整パラメータを微調整する。逆に、［弱］の場合は、「全体的にやわらかい画像、背景をぼんやり」のような表現の画像になるように、”ポートレートモード”のデフォルト設定を基準にして、制御調整パラメータや画質調整パラメータを微調整する。
【００４１】
同様に、”夜景モード”において、［強］の場合は、「遠くまでくっきり、色強調」のような表現の画像になるように、”夜景モード”のデフォルト設定を基準にして、制御調整パラメータや画質調整パラメータを微調整する。逆に、［弱］の場合は、「全体的にやわらかい画像、色淡い」のような表現の画像になるように、”夜景モード”のデフォルト設定を基準にして、制御調整パラメータや画質調整パラメータを微調整する。
【００４２】
図２の他の”風景モード”、”こどもモード”、”スポーツモード”、”クローズアップモード”、”夜景ポートレートモード”などについても、圧力センサ１５２の強弱の判定結果に応じて、各モードのデフォルト設定を基準にして、制御調整パラメータや画質調整パラメータを微調整する。
【００４３】
このようにして、本実施形態に係る電子カメラ１０１では、撮影者のフィーリングやニュアンスを強弱の２段階に判別し、「シーンモード」や「Ｐ，Ｓ，Ａ，Ｍモード」でデフォルト設定されている制御調整パラメータや画質調整パラメータで撮影される画像に撮影者のフィーリングやニュアンスを反映させることができる。
【００４４】
例えば図３は、「シーンモード」が”ポートレートモード”である場合に、「フィーリング機能」をＯＮ／ＯＦＦした場合の画像イメージを示した図である。図３において、画像２０１は、”ポートレートモード”で「フィーリング機能」がＯＦＦの画像を示し、制御調整パラメータや画質調整パラメータは、”ポートレートモード”におけるデフォルトの設定になっている。画像２０１は、背景が少しぼんやりさせて、人物もやわらかい雰囲気の画像になっている。一方、「フィーリング機能」をＯＮした場合は、圧力センサ１５２の押圧強度に応じて［強］と［弱］とに判別される。図２において、［強］の場合は、”ポートレートモード”におけるデフォルトの制御調整パラメータや画質調整パラメータが微調整されて、例えば画像２０２のように、画像２０１よりも背景のボケが減少し、人物がくっきりと力強い画像になる。一方、［弱］の場合は、”ポートレートモード”におけるデフォルトの制御調整パラメータや画質調整パラメータが微調整されて、例えば画像２０３のように、画像２０１よりも背景のボケが増加し、人物がやわらかい画像になる。
【００４５】
次に、図２および図３で説明した制御調整パラメータや画質調整パラメータの調整内容について具体的に説明する。図４は、「フィーリング機能」がＯＮの場合の「シーンモード」および「Ｐ，Ｓ，Ａ，Ｍモード」について、画質調整パラメータおよび制御調整パラメータの調整内容の具体例を示した図である。
【００４６】
図４において、画質調整パラメータは、輪郭強調、コントラスト、明るさ、色の濃さ、色合い、の各パラメータを有する。また、制御調整パラメータは、絞り値、シャッター速度、の各パラメータを有する。尚、制御調整パラメータにＩＳＯ感度や補助光源１１３のＯＮ／ＯＦＦおよび発光量などを含めても構わない。
【００４７】
また、図４において、”ｎｏｎｅ”は「フィーリング機能」での調整を行わないことを示し、”＋”や”−”は各モードにおけるデフォルト値を基準にした調整幅を示している。例えば、輪郭強調が”＋”の場合は、各モードにおけるデフォルト値よりも輪郭強調を強くすることを意味し、数字が大きいほど（例えば＋１よりも＋３の方が大きい）輪郭強調が強くなるように調整される。逆に、輪郭強調が”−”の場合は、各モードにおけるデフォルト値よりも輪郭強調を弱くすることを意味し、数字が小さいほど（例えばー１よりもー３の方が小さい）輪郭強調が弱くなるように調整される。同様に、コントラストの場合は、”＋”でコントラストが強くなり、”−”でコントラストが弱くなる。明るさの場合は、”＋”で明るくなり、”−”で暗くなる。色の濃さの場合は、”＋”で色が濃くなり、”−”で色が淡くなる。色合いの場合は、”＋”で例えば赤みが強くなり、”−”で例えば青みが強くなる。尚、図４の画質調整パラメータは一例であり、彩度など他のパラメータを調整できるようにしてもよい。また、強弱の範囲の設定についても、”＋”を弱く、”−”を強くするようにしてもよい。
【００４８】
同様に、制御調整パラメータの絞り値の場合は、”＋”で絞り値が大きくなり、”−”で絞り値が小さくなる。また、シャッター速度の場合は、”＋”でシャッター速度が速くなり、”−”でシャッター速度が遅くなる。尚、「Ｐ，Ｓ，Ａ，Ｍモード」において、絞り値は、Ｐモード（プログラムオート）とＳモード（シャッター優先オート）の場合のみ調整されることを意味する。また、シャッター速度は、Ｐモード（プログラムオート）とＡモード（絞り優先オート）の場合のみ調整されることを意味する。尚、パラメータの調整幅は、撮影者によって設定される。パラメータのカスタマイズについては後で説明する。
【００４９】
ここで、図２および図４は「フィーリング機能」を説明するための一例であり、「シーンモード」や「Ｐ，Ｓ，Ａ，Ｍモード」でデフォルト設定されている制御調整パラメータや画質調整パラメータの調整項目や調整幅は、自由に設定や変更を行うことができる。例えば、ＩＳＯ感度の調整項目を設けた場合は、［強］，［弱］に応じてＩＳＯ感度を高くしたり低くしたりし、補助光源１１３の調整項目を設けた場合は、ＯＮ／ＯＦＦの制御や発光量の制御などを行うようにしてもよい。
【００５０】
更に、図４の画質調整パラメータおよび制御調整パラメータ以外に、「エフェクトモード」の項目を設けて、ソフトフィルタによるぼかし具合の強弱の調整や、クロスフィルタによる星の大きさの調整、セピア調の濃さの調整など、フィルタ効果を強めたり、弱めたりする制御を行うようにしてもよい。
【００５１】
このように、本実施形態に係る電子カメラ１０１では、撮影者のフィーリングやニュアンスを反映させた画像を撮影することができるので、同じカメラで同じシーンモードが設定されている状態で同じ被写体を撮影した場合でも、画一的な画像になることなく、撮影者によって表現が異なる個性的な画像を得ることができる。特に、本実施形態に係る電子カメラ１０１では、選択されている「シーンモード」の制御調整パラメータや画質調整パラメータの中で、撮影者のフィーリングやニュアンスを反映させた調整を行い、他の制御パラメータや画質調整パラメータは変更させないため、撮影画像が極端な表現の画像になることを防止できる。
【００５２】
次に、本実施形態に係る電子カメラ１０１における「フィーリング機能」を利用した撮影時の動作について、図５のフローチャートを用いて説明する。尚、図５のフローチャートは、図１の制御部１０８に予め記憶されたプログラムの処理を示している。
【００５３】
（ステップＳ１００）電源ボタン１５１ａが押下されると、電子カメラ１０１は起動され、撮影可能な状態になる。この時、表示部１１０にはスルー画像を表示するようにしてもよい。
【００５４】
（ステップＳ１０１）制御部１０８は、「フィーリング機能」のＯＮ／ＯＦＦを判別する。そして、「フィーリング機能」がＯＮされている場合はステップＳ１０３の処理に進み、「フィーリング機能」がＯＦＦされている場合はステップＳ１０２の処理に進む。尚、「フィーリング機能」は、メニューボタン１５１ｅにより表示部１１０に表示されるメニュー画面でＯＮ／ＯＦＦを選択する。
【００５５】
（ステップＳ１０２）制御部１０８は、通常の電子カメラと同様の撮影処理を実行する。尚、通常撮影の処理については、本実施形態の特徴である「フィーリング機能」には関係ないので、詳細な説明は省略する。
【００５６】
（ステップＳ１０３）制御部１０８は、「シーンモード」に設定されているか否かを判別する。そして、「シーンモード」に設定されている場合はステップＳ１０５の処理に進み、「シーンモード」が設定されていない場合はステップＳ１０４の処理に進む。
【００５７】
（ステップＳ１０４）制御部１０８は、「シーンモード」以外の撮影モードである「Ｐ，Ｓ，Ａ，Ｍモード」のパラメータのカスタマイズを行う。ここで、表示部１１０の画面には、パラメータをカスタマイズするためのメニュー画面が表示される。図６（ａ）は、パラメータをカスタマイズするためのメニュー画面の例を示す図である。図６（ａ）では、絞り値（Ｆ値）やシャッター速度のパラメータを選択して、「フィーリング機能」で調整する領域（調整範囲）を設定することができる。図６（ａ）において、調整範囲は、白四角印と黒四角印とを十字キー１５１ｄで動かして設定する。例えば白四角印は調整範囲の下限、黒四角印は調整範囲の上限を示す。図６（ａ）の例では、絞り値はＦ＝４からＦ＝８の範囲に設定されている。同様に、シャッター速度は１／６０秒から１／２５０秒の範囲に設定されている。
【００５８】
尚、図６（ａ）では、制御調整パラメータの絞り値とシャッター速度を設定する例を示したが、ＩＳＯ感度や補助光源１１３のＯＮ／ＯＦＦおよび発光量などの範囲を設定できるようにしてもよいし、図６（ｂ）に示すように、輪郭強調、コントラスト、明るさ、色の濃さ、色合いなどの画質調整パラメータの範囲を設定できるようにしてもよい。
【００５９】
（ステップＳ１０５）制御部１０８は、レリーズボタン１５１ｂが押下されたか否かを判別する。尚、ここでは、レリーズボタン１５１ｂが全押しされたか否かを判別する。そして、レリーズボタン１５１ｂが押下された場合はステップＳ１０６に進み、レリーズボタン１５１ｂが押下されていない場合はステップＳ１０１に進む。
【００６０】
（ステップＳ１０６）制御部１０８は、レリーズボタン１５１ｂを押下する時の強度を圧力センサ１５２で計測し、予め設定した閾値以上の場合を［強］、閾値未満の場合を［弱］として、制御調整パラメータおよび画質調整パラメータに反映させる処理を行う。この処理については後で説明する。尚、レリーズボタン１５１ｂを押下した時の強弱の計測は、圧力センサ１５２で行う。また、加速度センサによりレリーズボタン１５１ｂを押す加速度を計測して、加速度が予め設定された閾値以上の場合に［強］、加速度が予め設定された閾値未満の場合に［弱］と判断してもよい。また、強弱の２段階ではなく、ｎ段階で判定するようにしてもよい。
【００６１】
（ステップＳ１０７）制御部１０８は、撮像素子１０４で撮影して画像バッファ１０６に取り込まれた撮影画像をメモリカード１１２ａに記録する。さらに撮影画像を表示部１１０に表示するようにしてもよい。そして、ステップＳ１０１に戻って、同様の処理を繰り返し実行する。尚、撮影画像をメモリカード１１２ａに記録する際に、圧力センサ１５２の計測値や［強］／［弱］の判定結果などをフィーリング情報として画像データのヘッダに付加して記憶してもよい。
【００６２】
次に、ステップＳ１０６の処理について詳しく説明する。図７は、圧力センサ１５２で計測した結果を制御調整パラメータおよび画質調整パラメータに反映させる処理例を示すフローチャートである。
【００６３】
（ステップＳ２００）制御部１０８は、レリーズボタン１５１ｂを押下する強弱を制御調整パラメータおよび画質調整パラメータに反映させる処理を開始する。
【００６４】
（ステップＳ２０１）制御部１０８は、選択されている撮影モードを判別し、「シーンモード」が選択されている場合は、ステップＳ２０２に進み、「シーンモード」以外の撮影モードが選択されている場合は、ステップＳ２０３に進む。
【００６５】
（ステップＳ２０２）制御部１０８は、図４で説明したように、選択されている「シーンモード」毎に対応する制御調整パラメータおよび画質調整パラメータをレリーズボタン１５１ｂの押圧の強弱に応じて予め設定された領域内で調整する。
【００６６】
（ステップＳ２０３）制御部１０８は、「シーンモード」以外の撮影モードの場合、図５のステップＳ１０４で撮影者がカスタマイズした各パラメータをレリーズボタン１５１ｂの押圧の強弱に応じて予め設定された領域内で調整する。
【００６７】
このように、本実施形態に係る電子カメラ１０１では、レリーズボタン１５１ｂの押圧の強弱に応じて撮影者のフィーリングやニュアンスを反映させた画像を撮影することができる。それにより、同じカメラで同じシーンモードが設定されている状態で同じ被写体を撮影した場合でも、画一的な画像になることなく、撮影者によって表現が異なる個性的な画像を得ることができる。
【００６８】
尚、先の実施形態では、レリーズボタン１５１ｂを押圧する強度を圧力センサ１５２によって計測するようにしたが、レリーズボタン１５１ｂの半押し検出センサ１６１と全押し検出センサ１６２との検出間隔で撮影者のフィーリングやニュアンスを判別するようにしてもよい。例えば半押し検出センサ１６１から全押し検出センサ１６２までの検出間隔が予め設定した閾値以上の場合に［弱］、閾値未満の場合に［強］と判断するようにしてもよい。これは、シャッターチャンスを逃さないように、一気にレリーズボタン１５１ｂが押下された時には撮影者の感情が高まっていると判断し、逆に検出間隔が長い場合は、撮影者の感情は穏やかであると判断する。
【００６９】
同様の考え方で、電源ボタン１５１ａを押下してからレリーズボタン１５１ｂを押下するまでの操作間隔で撮影者のフィーリングやニュアンスを判別するようにしてもよい。この場合は、操作間隔が予め設定した閾値以上の場合に［弱］、閾値未満の場合に［強］と判断する。
【００７０】
或いは、図１に示したように、レリーズボタン１５１ｂの代わりにタッチパネル１５３で操作する場合は、タッチパネル１５３で操作する強さや加速度などから撮影者のフィーリングやニュアンスを判別するようにしてもよい。例えばタッチパネル１５３でフリック操作（指で弾くような操作）を行ったときに撮影を行う場合は、フリック操作の加速度をタッチパネル１５３の座標の変化から検出して、加速度が予め設定した閾値以上の場合に［強］、閾値未満の場合に［弱］と判断するようにしてもよい。
【００７１】
または、電子カメラ１０１に音声入力部を設けて、制御部１０８により音声入力部から入力する音の大きさを計測する。そして、音の大きさにより、撮影者のフィーリングやニュアンスを判別する。例えばレリーズボタン１５１ｂを全押しする直前、例えば半押し状態で、音声入力部から入力する音声の大きさを計測する。そして、制御部１０８は、例えば音声の大きさが予め設定した閾値以上の場合に［強］、閾値未満の場合に［弱］と判断する。これは、撮影直前に、撮影者が被撮影者に対して撮影タイミングを知らせる掛け声「撮りますよー」や、笑顔を促すための言葉「ハイ、チーズ!」などの音声の大きさを利用して、撮影者のフィーリングやニュアンスを判別する方法である。
【００７２】
尚、上述の説明では、撮影者の感情を判別するようにしたが、撮影者ではなく、画面内の被撮影者の感情を画像に反映させる「フィーリング機能」を設けてもよい。この場合は、例えば、画面内の被撮影者の笑顔の度合いを検出して、笑顔の度合いが大きい場合に［強］、笑顔の度合いが小さい場合に［弱］、のように設定する。
【００７３】
また、上述の説明では、制御調整パラメータおよび画質調整パラメータ或いはフィルタ効果などを撮影時に調整するようにしたが、画質調整パラメータおよびフィルタ効果については撮影時に調整せずに、撮影画像をメモリカード１１２ａに記録する際に、圧力センサ１５２の計測値や［強］／［弱］の判定結果などのフィーリング情報を画像データのヘッダに付加して記憶しておき、再生時に画像データに付加された［強］／［弱］の判定結果などから、撮影時の撮影者のフィーリングやニュアンスを判別し、再生する画像に［強］／［弱］の判定結果に応じた画質調整パラメータやフィルタ効果で調整するようにしてもよい。
【００７４】
このように、本実施形態に係る電子カメラ１０１では、撮影時における撮影者の操作フィーリングによって変化する操作部材への入力強度を検出し、感覚的・直感的に則した表現の画像になるように、制御調整パラメータや画質調整パラメータ或いはフィルタ効果などを調整することにより、撮影者のフィーリングやニュアンスで微妙に変化する撮影結果に付加価値を与えることができる。この結果、例えば同じカメラで同じシーンモードが設定されている状態で同じ被写体を撮影した場合でも、画一的な画像になることなく、撮影者によって表現が異なる個性的な画像を得ることができる。特に、本実施形態に係る電子カメラ１０１では、選択されているシーンモードの撮影条件の中で、撮影者のフィーリングを反映させた調整を行うので、撮影画像が極端な表現の画像になることを防止できる。
【００７５】
以上、本発明に係る電子カメラについて、各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７６】
電子カメラ１０１；光学系１０２；メカニカルシャッター１０３；撮像素子１０４；Ａ／Ｄ変換部１０５；画像バッファ１０６；画像処理部１０７；制御部１０８；メモリ１０９；表示部１１０；操作ＩＦ１１１；メモリカードＩＦ１１２；メモリカード１１２ａ；補助光源１１３；操作ボタン１５１；圧力センサ１５２；タッチパネル１５３；電源ボタン１５１ａ；レリーズボタン１５１ｂ；撮影モード選択ダイヤル１５１ｃ；十字キー１５１ｄ；メニューボタン１５１ｅ
【図１】
2014068230.tif 000003
【図２】
2014068230.tif 000004
【図３】
2014068230.tif 000005
【図４】
2014068230.tif 000006
【図５】
2014068230.tif 000007
【図６】
2014068230.tif 000008
【図７】
2014068230.tif 000009